(57)【要約】【課題】モニタ用光源どうしの色が似ている場合であっても、点灯あるいは点滅しているモニタ用光源を判別しやすいモニタ装置を提供する。【解決手段】枠１４は、モニタ用ＬＥＤ４２ｃ（橙）と、モニタ用ＬＥＤ４２ａ（赤）と、それぞれの中間モニタ用ＬＥＤ４２ｂ（緑）とのモニタ用ＬＥＤごとに設けられてモニタ用ＬＥＤの発する光が通過する通過部６ａ、６ｂ、６ｃを有している。通過部６ａと、通過部６ｂとの最短距離は、１４ｍｍ以上１６ｍｍ以下の範囲である。通過部６ａと、通過部６ｂとの最短距離を１４ｍｍ以上１６ｍｍ以下の範囲とすることで、通過部６ａを通過する光と、通過部６ｂを通過する光との混色を低減できる。【選択図】図１
2019012637.tif 000002
【特許請求の範囲】
【請求項１】
機器の状態をモニタするモニタ装置において、
第１の波長の光を発する第１のモニタ用光源と、前記第１の波長よりも長い第２の波長の光を発する第２のモニタ用光源とが配置されていると共に、前記第１のモニタ用光源と前記第２のモニタ用光源とに挟まれる位置に、前記第１の波長よりも短い波長の光を発するモニタ用光源である１以上の中間モニタ用光源が配置されている配置部と、
前記第１のモニタ用光源と、前記第２のモニタ用光源と、それぞれの中間モニタ用光源とのモニタ用光源ごとに設けられて前記モニタ用光源の発する光が通過する通過部を有し、前記モニタ装置の外郭の一部をなす部分外郭部と、
を備えるモニタ装置。
【請求項２】
前記第１の波長の値は、
各中間モニタ用光源の波長の値よりも、第２の波長の値に近い請求項１に記載のモニタ装置。
【請求項３】
前記第１のモニタ用光源の前記通過部と、前記第２のモニタ用光源の前記通過部との最短距離は、
１４ｍｍ以上１６ｍｍ以下の範囲である請求項１または請求項２に記載のモニタ装置。
【請求項４】
機器の状態をモニタするモニタ装置において、
第１の波長の光を発する第１のモニタ用光源と、前記第１の波長以上の長さの第２の波長の光を発する第２のモニタ用光源とが配置されている配置部と、
前記第１のモニタ用光源と、前記第２のモニタ用光源とのそれぞれに設けられて前記モニタ用光源の発する光が通過する通過部を有し、前記モニタ装置の外郭の一部をなす部分外郭部と、
を備え、
前記第１のモニタ用光源の前記通過部と、前記第２のモニタ用光源の前記通過部との最短距離は、
１４ｍｍ以上１６ｍｍ以下の範囲であるモニタ装置。
【請求項５】
前記モニタ装置は、
前記第１のモニタ用光源と前記第２のモニタ用光源とに挟まれる位置に、部品が配置されている請求項４に記載のモニタ装置。
【請求項６】
前記第２の波長は、
前記第１の波長よりも長く、第１の波長との長さの差が１６０ｎｍ以内である請求項５または請求項５に記載のモニタ装置。
【発明の詳細な説明】
【技術分野】
【０００１】
この発明は、モニタ装置に関する。
【背景技術】
【０００２】
従来から、通常時は商用電源で蓄電池を充電し、商用電源が遮断された非常時には蓄電池の電力で光源を点灯する非常用照明器具が知られている。この非常用照明器具は、動作を点検するためのモニタ用光源を備えている（例えば、特許文献１）。
【先行技術文献】
【特許文献】
【０００３】
【特許文献１】特開２０１４−３２８６８号公報
【発明の概要】
【発明が解決しようとする課題】
【０００４】
従来の非常用照明器具では、複数のモニタ用光源を有する場合に、モニタ用光源どうしの色が似ていると、一方のモニタ用光源が点灯して状態を知らせる場合と、両方のモニタ用光源が点灯して状態を知らせる場合との両方のがあるとき、一方のモニタ用光源が点灯しているのか、両方のモニタ用光源が点灯しているのかわかりにくいおそれがある。
【０００５】
この発明は、モニタ用光源どうしの色が似ている場合であっても、点灯あるいは点滅しているモニタ用光源を判別しやすい、モニタ装置の提供を目的とする。
【課題を解決するための手段】
【０００６】
この発明のモニタ装置は、
機器の状態をモニタするモニタ装置において、
第１の波長の光を発する第１のモニタ用光源と、前記第１の波長よりも長い第２の波長の光を発する第２のモニタ用光源とが配置されていると共に、前記第１のモニタ用光源と前記第２のモニタ用光源とに挟まれる位置に、前記第１の波長よりも短い波長の光を発するモニタ用光源である１以上の中間モニタ用光源が配置されている配置部と、
前記第１のモニタ用光源と、前記第２のモニタ用光源と、それぞれの中間モニタ用光源とのモニタ用光源ごとに設けられて前記モニタ用光源の発する光が通過する通過部を有し、前記モニタ装置の外郭の一部をなす部分外郭部と、
を備える。
【発明の効果】
【０００７】
この発明により、モニタ用光源どうしの色が似ている場合であっても、点灯あるいは点滅しているモニタ用光源を判別しやすいモニタ装置を提供できる。
【図面の簡単な説明】
【０００８】
【図１】実施の形態１の図で、照明器具１の斜視図。
【図２】実施の形態１の図で、照明器具１の分解斜視図。
【図３】実施の形態１の図で、電源ユニット４における、回路基板１７のケース１５への配置を示す図。
【図４】実施の形態１の図で、電源ユニット４の組み立てを図。
【図５】実施の形態１の図で、枠１４に形成された通過部６ａ，６ｂ，６ｃを示す模式的な図。
【図６】実施の形態１の図で、枠１４に形成された通過部６ａ，６ｂ，６ｃを示す模式的な図。
【図７】実施の形態１の図で、枠１４に形成された通過部６ａ，６ｂ，６ｃを示す模式的な図。
【図８】実施の形態１の図で、枠１４に形成された通過部６ａ，６ｂ，６ｃを示す模式的な図。
【図９】実施の形態１の図で、回路基板１７の配置を示す模式的な図。
【図１０】実施の形態１の図で、枠１４に形成された通過部６ｃ，６ｄを示す模式的な図。
【図１１】実施の形態１の図で、モニタ装置１００の比較例を示す模式的な図。
【発明を実施するための形態】
【０００９】
実施の形態１．
図面を参照して、実施の形態１のモニタ装置１００を説明する。モニタ装置１００では、モニタ用光源である複数のモニタ用ＬＥＤの並び方と、光の通過部６ａ，６ｂ，６ｃの配置とによって、モニタ用ＬＥＤどうしの色が似ている場合であっても、点灯あるいは点滅しているモニタ用ＬＥＤを判別しやすい。モニタ装置１００は、配置部である回路基板１７と、部分外郭部である枠１４とから構成される。
【００１０】
図１は、照明器具１の斜視図である。
図２は、照明器具１の分解斜視図である。
図３は、電源ユニット４における、回路基板１７のケース１５への配置を示す図である。
図４は、電源ユニット４の組み立てを示す図である。
【００１１】
照明器具１は、本体２と、取付バネ３と、光源ユニット５０と、枠１４とを有する。本体２の内部には、端子台１２と、電源ユニット４と、蓄電池１１とが収納される。端子台１２と電源ユニット４と蓄電池１１とは、取付金具１３を用いて本体２の内部に配置される。
図１に示すように、照明器具１は、点検スイッチと自己点検スイッチを有している。点検スイッチが押されると、蓄電池１１で照明器具１が点灯する。自己点検スイッチが押されると、後述の自己点検機能により、非常灯は自己点検を実施する。
【００１２】
＜電源ユニット＞
電源ユニット４は、ケース１５、カバー１６および回路基板１７を備える。回路基板１７の実装面１７Ａには、モニタ用ＬＥＤ４２ａ（赤）、モニタ用ＬＥＤ４２ｂ（緑）、モニタ用ＬＥＤ４２ｃ（橙）が配置されている。ケース１５には、モニタ用ＬＥＤ４２ａ（赤）、モニタ用ＬＥＤ４２ｂ（緑）、モニタ用ＬＥＤ４２ｃ（橙）のそれぞれに対応する位置に、開口１５６ａ，１５６ｂ，１５６ｃが形成されている。カバー１６とケース１５とは収納ケース８２を構成しており、収納ケース８２は、回路基板１７を収納している。モニタ用ＬＥＤ４２ａ（赤）、モニタ用ＬＥＤ４２ｂ（緑）、モニタ用ＬＥＤ４２ｃ（橙）から出射された光は開口１５６ａ，１５６ｂ，１５６ｃを通過し、枠１４に形成されている通過部６ａ，６ｂ，６ｃを通過する。通過部６ａ，６ｂ，６ｃは、それぞれ、開口１５６ａ，１５６ｂ，１５６ｃに対応する。つまり、通過部６ａ，６ｂ，６ｃは、それぞれ、モニタ用ＬＥＤ４２ａ（赤）、モニタ用ＬＥＤ４２ｂ（緑）、モニタ用ＬＥＤ４２ｃ（橙）に対応する。例えば、通過部６ａは、モニタ用ＬＥＤ４２ａ（赤）に対応する。なお実施の形態１では、通過部６ａ，６ｂ，６ｃは開口であるが、開口に限らず、光が通過できる「通過部」であればよい。例えば透明な樹脂でもよい。
【００１３】
まず非常灯を例に自己点検機能について説明しておく。自己点検機能とは、非常灯が「自己点検機能」のスイッチを押されたような場合に、蓄電池１１で光源ユニット５０の光源が点灯可能なことを確認する機能であり、規定時間（例えば一般定格で３０分、長時間定格で６０分）非常点灯点灯が可能どうかを非常灯自身が自動的に確認する機能である。
自己点検機能を有する防災灯（非常灯あるいは誘導灯）において、
（１）充電中（緑色）、
（２）自己点検中（橙色）
（３）及びランプ異常（赤色）の場合、
上記の有色ＬＥＤでそれぞれ表示する場合には、赤と橙は色味が似ているため、同時に点灯または点滅する際には、距離が近い場合に混色して見えてしまい、２色が点灯、点滅していることの区別がつきにくい。
【００１４】
実施の形態１のモニタ装置１００の比較例を図１１に示す。器具の一例として非常用照明器具専用内蔵形で示す。非常用光源（レンズ６）が略中央に配置され、レンズ６の周囲を枠１４で覆っている。非常用光源の下部に各表示用のＬＥＤが左から赤、橙、緑の順に直線的に配置されている。これらは、図１の照明器具１の通過部６ａ，６ｂ，６ｃに相当する。本器具は非常時のみ非常用光源が点灯し、常用時（ＡＣ通電時）は器具内部にある蓄電池１１を充電し続けており、充電モニタの緑ＬＥＤが点灯している。
（１）自己点検時は自己点検モニタの橙ＬＥＤが点滅し、
（２）非常用光源の接続不良による開放状態等の異常時にはランプモニタの赤ＬＥＤが点灯する。自己点検スイッチの押下または専用のリモコンの使用により、自己点検を実施できるが、非常灯は４８時間以上の充電後に放電した時に、規定時間の点灯並びに放電基準電圧の確保が出来ているかを点検する。
（３）専用のリモコンに配置の自己点検の可否を確認するボタンの押下により、４８時間未満の充電状態であれば、自己点検モニタの橙ＬＥＤとランプモニタの赤ＬＥＤがある期間同時に点滅する。
（４）反対に、４８時間以上の充電状態であれば、自己点検モニタの橙ＬＥＤと充電モニタの緑ＬＥＤが同時に点滅し、点検者に報知する。
【００１５】
自己点検モニタの橙ＬＥＤとランプモニタの赤ＬＥＤは色味が似ているため、同時に点滅した場合混色して見えてしまい、２色が点滅していることの区別がつきにくい。特に、高天井などの点検者から離れた位置の場合、より混色度合いが顕著となる。
【００１６】
本実施の形態１のモニタ装置１００を図５に示す。表示用ＬＥＤ各色（モニタ用ＬＥＤ）の配置以外は図１１と同じである。図５に示すように、ＬＥＤが左から橙、緑、赤の順に配置している。緑色が中央に配置されたことで橙ＬＥＤと赤ＬＥＤの距離が離れている。よって、同時点滅時の混色が低減される。
【００１７】
隣接する通過部どうしのピッチを９ｍｍ以上とすることで、高天井などの離れた位置から見た場合の混色度合いはより低減できる。また、ピッチを９ｍｍ以上としたことで、橙ＬＥＤと緑ＬＥＤの点滅時の混色度合いも低減している。一例として、非常灯で説明したが、誘導灯でも構わない。また、非常用光源についてもＬＥＤや蛍光灯など何れかの照明であれば良い。
【００１８】
さらにモニタ装置１００の説明を続ける。
モニタ装置１００は機器である照明器具１（図１）の状態をモニタするモニタ装置１００である。モニタ装置１００は、配置部である回路基板１７と、モニタ装置１００の外郭の一部をなす部分外郭部である枠１４とを備えている。回路基板１７には、第１の波長の光を発する第１のモニタ用光源であるモニタ用ＬＥＤ４２ｃ（橙）と、第１の波長よりも長い第２の波長の光を発する第２のモニタ用光源であるモニタ用ＬＥＤ４２ａ（赤）とが配置されている。また回路基板１７には、モニタ用ＬＥＤ４２ｃ（橙）と第２のモニタ用ＬＥＤ１１ｂ（赤）とに挟まれる位置に、第１の波長よりも短い波長の光を発するモニタ用ＬＥＤである１以上の中間モニタ用ＬＥＤ４２ｂが配置されている。枠１４は、モニタ装置１００を照明器具１とみたときにその外郭の一部をなす部分外郭部である。枠１４は、モニタ用ＬＥＤ４２ｃ（橙）と、モニタ用ＬＥＤ４２ａ（赤）と、それぞれの中間モニタ用ＬＥＤ４２ｂ（緑）とのモニタ用ＬＥＤごとに設けられてモニタ用ＬＥＤの発する光が通過する通過部６ａ、６ｂ、６ｃを有している。
【００１９】
ここで、第１の波長（橙）の値は、各中間モニタ用ＬＥＤの波長（緑）の値よりも、第２の波長（赤）の値に近い。つまり、波長の長さの近いＬＥＤどうしを離して配置するおとで、混色を低減できる。なお、図３では中間モニタ用ＬＥＤとしてはモニタ用ＬＥＤ４２ｂ（緑）の一つであるが、２以上配置されてもよい。
【００２０】
図６に示すように、モニタ用ＬＥＤ４２ｃ（橙）の通過部６ｃと、モニタ用ＬＥＤ４２ａ（赤）の通過部６ａとの最短距離は、１４ｍｍ以上１６ｍｍ以下の範囲としてもよい。
【００２１】
図７に示すように、通過部は、丸形状に限らない。光が通過できればどのような形状でもよい。図７は、通過部が菱形の場合を示した。
【００２２】
また図８に示すように、複数の通過部は、一直線状に並ばなくてもよい。図８は、中央の通過部が上にずれている場合を示した。
【００２３】
図９は、回路基板１７に、モニタ用ＬＥＤ４２ｃ（橙）と、モニタ用ＬＥＤ４２ａ（赤）との二つを配置する場合を示す図である。いままでの説明は、混色防止のための通過部の配置であったが、図９は、混色防止のための、回路基板１７でのモニタ用ＬＥＤの配置に関する。回路基板１７においても、モニタ用ＬＥＤ４２ｃ（橙）と、モニタ用ＬＥＤ４２ａ（赤）との最短距離は、１４ｍｍ以上１６ｍｍ以下としている。つまり、混色防止のため１４ｍｍ以上間隔をあけている。図９では間隔のところに、部品を配置している。モニタ用ＬＥＤ４２ｃ（橙）と、モニタ用ＬＥＤ４２ａ（赤）との間に部品を配置することで、モニタ用ＬＥＤ４２ｃ（橙）、モニタ用ＬＥＤ４２ａ（赤）が並ぶ方向のサイズを、部品のぶんコンパクト化できる。つまり、部品がモニタ用ＬＥＤ４２ａ（赤）の右側に配置される場合には、右側ではなく図９の位置に配置できる。
【００２４】
このように、モニタ装置１００は、第１の波長の光を発する第１のモニタ用ＬＥＤ（橙）と、第１の波長以上の長さの第２の波長の光を発する第２のモニタ用ＬＥＤ（赤）とが配置されている配置部である回路基板１７と、第１のモニタ用ＬＥＤ（橙）と、第２のモニタ用ＬＥＤ１１ｂとのそれぞれに設けられてモニタ用ＬＥＤの発する光が通過する通過部を有し、モニタ装置１００の外郭の一部をなす部分外郭部である枠１４と、を備える構成でもよい。図１０のように、第１のモニタ用ＬＥＤ（橙）の通過部６ｃと、第２のモニタ用ＬＥＤ（赤）の通過部６ａとの最短距離は、１４ｍｍ以上１６ｍｍ以下の範囲である。
【００２５】
以上のように、実施の形態１のモニタ装置１００によれば、モニタ用光源である複数のモニタ用ＬＥＤの並び方と、光の通過部６ａ，６ｂ，６ｂの配置とによって、モニタ用ＬＥＤどうしの色が似ている場合であっても、点灯あるいは点滅しているモニタ用ＬＥＤを判別しやすくなる。
【符号の説明】
【００２６】
１  照明器具、１４  枠、１４１  枠保持バネ、１５  ケース、１５６ａ，１５６ｂ，１５６ｃ  開口、１６  カバー、１７  回路基板、１７Ａ  実装面、２  本体、３  取付バネ、４  電源ユニット、６  レンズ、６ａ，６ｂ，６ｃ  通過部、４２ａ  モニタ用ＬＥＤ、４２ｂ  モニタ用ＬＥＤ、４２ｃ  モニタ用ＬＥＤ、８２  収納ケース、１００  モニタ装置。
【図１】
2019012637.tif 000003
【図２】
2019012637.tif 000004
【図３】
2019012637.tif 000005
【図４】
2019012637.tif 000006
【図５】
2019012637.tif 000007
【図６】
2019012637.tif 000008
【図７】
2019012637.tif 000009
【図８】
2019012637.tif 000010
【図９】
2019012637.tif 000011
【図１０】
2019012637.tif 000012
【図１１】
2019012637.tif 000013